(57)【要約】      （修正有）【課題】雑音を消すことができるフェルトバチを提供する。【解決手段】雑音を消すことができるフェルトバチは、グリップ１端部にバチヘッド２を結合し、該バチヘッド周囲を弾性を備えた環状キャップ３で包覆し、該環状キャップ表面には複数の突起３１を設置し、該環状キャップ外に毛糸４１を繰り返し巻き付け、これにより毛糸の基礎巻き付け層は該突起間の隙間に定位され、さらに巻き付けを続け、全体的な包覆巻き付けを完成し、該バチヘッド及び該環状キャップを包覆するフェルト層を構成する。これにより木琴或いはマリンバ専用のバチを組成し、バチで木琴をたたいた時の打撃の瞬間に毛糸が摩擦することにより発生する雑音を消し、演奏時の音色をより滑らかで、暖かく穏やかにすることができる。【選択図】図１
0003144981.tif 000002
【実用新案登録請求の範囲】
【請求項１】
雑音を消すことができるフェルトバチであって、グリップと、該グリップの端部に結合するバチヘッドと、該バチヘッドに嵌合し、表面に複数の突起を設置し、これにより該突起を該バチヘッド周囲に分布する環状キャップと、該バチヘッド及び該環状キャップ上に毛糸を巻き付け、該バチヘッド及び該環状キャップ全体を包覆するフェルト層と、突起間の隙間に定位される毛糸の基礎巻き付け層と、を含み、これにより雑音を消すことができるフェルトバチを構成することを特徴とする、雑音を消すことができるフェルトバチ。
【請求項２】
前記環状キャップは弾性を備えたゴムにより構成する環状体であることを特徴とする、請求項１記載の雑音を消すことができるフェルトバチ。
【請求項３】
前記環状キャップは弾性を備えたプラスチックにより構成する環状体であることを特徴とする、請求項１記載の雑音を消すことができるフェルトバチ。
【請求項４】
前記複数の突起は五列で該環状キャップの表面に設置し、該各列突起は該環状キャップの円周に沿って分布し、両端に位置する第一列及び第五列の突起の長さは２ｍｍで、第二列及び第四列は３ｍｍと１．５ｍｍの突起が交差排列して構成することを特徴とする、請求項１記載の雑音を消すことができるフェルトバチ。
【請求項５】
前記フェルト層の毛糸は該バチヘッド及び該環状キャップ円周に沿って平均に分布し十二周巻き付けて一層とし、計八層から十二層巻き付けることを特徴とする、請求項１記載の雑音を消すことができるフェルトバチ。
【請求項６】
前記毛糸は羊毛糸が最適であることを特徴とする、請求項１記載の雑音を消すことができるフェルトバチ。
【請求項７】
前記バチヘッド中央には通孔を設置し、該通孔により該グリップ端部において緊密に嵌合することを特徴とする、請求項１記載の雑音を消すことができるフェルトバチ。
【考案の詳細な説明】
【技術分野】
【０００１】
本考案は、雑音を消すことができるフェルトバチに係り、特に木琴(Xylophone)或いはマリンバ(Marimba)専用のバチ構造の改良設計である雑音を消すことができるフェルトバチに関する。
【背景技術】
【０００２】
木琴(Xylophone)或いはマリンバ(Marimba)は打楽器の一種で、特殊なバチを使用し鍵盤をたたき、或いは底部の共鳴管を通して音を発する。公知のバチはおよそプラスチックバチ、木製バチ、フェルトバチの三種に分けられる。これらは使用時にそれぞれ異なる音色効果を備える。前二者は、プラスチックのバチヘッド或いは木製のバチヘッドにより鍵盤をたたくため、高級木材製造の鍵盤を損壊し易いが、その音色はより高く、明るく、クリアであるという長所を備える。
【０００３】
一方、フェルトバチはバチヘッド外をフェルト層で包覆するもので、該フェルト層は通常は毛糸を巻き付け構成し、それによりたたいて得られる音色は、より滑らかで、暖かく穏やかである。
【０００４】
しかし公知のフェルトバチの毛糸は、バチヘッド外に巻き付け、しっかりと縛り固定するだけであるため、木琴或いはマリンバの鍵盤を繰り返したたくと、図６に示すように、毛糸１０の束はバラバラになり滑り動き易く、たたいて得られる音質が悪くなってしまい易い。しかも打撃受力の瞬間の毛糸相互間の摩擦音等雑音の現象は、特に木琴の共鳴管を経た後では、より明確となる。これでは演奏の音色と音質に悪影響を及ぼしてしまう。
【考案の開示】
【考案が解決しようとする課題】
【０００５】
本考案が解決しようとする課題は、バチのバチヘッド部位構造を改良することで、フェルト層の毛糸定位を安定させ、鍵盤をたたく時に雑音が発生する状況を回避することができ、より滑らかで、暖かく穏やかな音色効果を達成することができ、雑音を消すことができるフェルトバチを提供することにある。即ち、本考案は主にグリップ、バチヘッド、環状キャップ及びフェルト層により組成し、該バチヘッドはプラスチック製品で、該グリップの端部に結合し、該環状キャップは弾性を備えたゴム或いはプラスチックにより製造し、その表面には複数の突起を設置し、該環状キャップを該バチヘッド外に嵌設し、これにより該突起は該バチヘッド周囲に分布し、該フェルト層は毛糸を該バチヘッド及び該環状キャップ上に繰り返し巻き付け構成し、その基礎巻き付け層の毛糸は該突起間の隙間に定位され、これにより木琴或いはマリンバ専用のフェルトバチを組成し、上記環状キャップ及び突起の設計、及び毛糸を巻き付けて構成するフェルト層の構造改良により、毛糸の基礎巻き付け層は該突起間の隙間に安定的に定位され、よって毛糸の磨擦現象を克服可能で、フェルト層が発生する雑音を消すことができ、滑らかで、暖かく穏やかな音色を達成することができる。
【課題を解決するための手段】
【０００６】
上記課題を解決するため、本考案は下記の雑音を消すことができるフェルトバチを提供する。即ち、雑音を消すことができるフェルトバチはバチのグリップ端部にバチヘッドを結合し、該バチヘッド周囲を、弾性を備えた環状キャップで包覆し、該環状キャップ表面には複数の突起を設置し、該環状キャップ外に毛糸を繰り返し巻き付け、これにより毛糸の基礎巻き付け層は該突起間の隙間に定位され、さらに巻き付けを続け、全体的な包覆巻き付けを完成し、該バチヘッド及び該環状キャップを包覆するフェルト層を構成し、これにより木琴或いはマリンバ専用のバチを組成し、バチで木琴をたたいた時の打撃の瞬間に毛糸が摩擦することにより発生する雑音を消し、演奏時の音色をより滑らかで、暖かく穏やかにすることができる。
【考案の効果】
【０００７】
上記のように、本考案は環状キャップ及び突起の設計、及び毛糸を巻き付けて構成するフェルト層の構造改良により、毛糸の基礎巻き付け層は突起間の隙間に安定的に定位され、よって毛糸の磨擦現象を克服可能で、フェルト層が発生する雑音を消すことができ、滑らかで、暖かく穏やかな音色を達成すると共に、雑音を消すことができる。
【考案を実施するための最良の形態】
【０００８】
図１乃至図５に示すように、本考案雑音を消すことができるフェルトバチは木琴(Xylophone)或いはマリンバ(Marimba)専用のフェルトバチで、主にグリップ１、バチヘッド２、環状キャップ３及びフェルト層４により組成する。
【０００９】
該グリップ１は図１及び図２に示すように、木材或いは他の材質により製造する長棒で、その端部にはバチヘッド２を結合する。該バチヘッド２は図１に示すように、球形、円柱形或いは他の形状のプラスチック製品で、中央には通孔２１を設置し、該通孔２１により該グリップ１の端部に緊密に嵌設する（図３及び図４参照）。
【００１０】
該環状キャップ３は図１に示すように、弾性を備えたゴム或いはプラスチックにより製造する環状体で、その直径は該バチヘッド２よりやや小さく、周囲表面には複数の突起３１を設置する。
【００１１】
該突起３１は円柱状で、その直径は１ｍｍ前後で、長さは３ｍｍ前後が最適である。最良の実施方式は該複数の突起３１は五列で該環状キャップ３の表面に設置し、各列突起３１は該環状キャップ３の円周に沿って分布し、しかも両端に位置する第一列及び第五列突起３１の長さは２ｍｍで、第二列及び第四列は３ｍｍと１．５ｍｍの突起３１が交差排列し構成する。これにより該環状キャップ３の弾性を利用し、該バチヘッド２外において束縛し（図３及び図４参照）、該突起３１は該バチヘッド２周囲に分布する。
【００１２】
フェルト層４は図１、図３及び図４に示すように、毛糸４１を採用し該バチヘッド２及び該環状キャップ３外に巻き付け構成する。該毛糸４１の最適実施方式は羊毛糸で、その巻き付き構造（方式）は該バチヘッド２及び該環状キャップ３円周に沿って平均に分布し、十二周巻き付け一層とし、計八層から十二層の巻き付け層を重ねることが望ましい。これにより該フェルト層４外形は杼に類似の形状を構成し、該毛糸４１の基礎巻き付け層４１１は、該突起３１間の隙間に定位され（図５参照）、これにより該バチヘッド２及び該環状キャップ３全体を包覆する。
【００１３】
前記グリップ１、バチヘッド２、環状キャップ３及びフェルト層４の組合せ構造設計において、特に該環状キャップ３及び該フェルト層４の構造特徴により木琴或いはマリンバ専用のバチを組成する。
【００１４】
本考案フェルトバチは弾性を備えた環状キャップ３を設置し、該環状キャップ３表面には突起３１を設置し、フェルト層４の毛糸４１の基礎巻き付け層４１１を定位する（図３乃至図５参照）。こうして巻き付きが完成した毛糸４１の構造は密で、安定しており、バラバラになり難い。
【００１５】
よってバチで打撃し受力の瞬間に、毛糸間の相互磨擦現象により発生する雑音を消すことができる。また該環状キャップ３及び該フェルト層４結合の設計により、木琴或いはマリンバの鍵盤をたたくと、さらに滑らかで、暖かく穏やかな音色を出すことができる。
【図面の簡単な説明】
【００１６】
【図１】本考案のバチ分解状態の分解斜視図
【図２】本考案のバチ組成状態の全体斜視図
【図３】本考案のバチ組成状態の一部斜視図
【図４】本考案のバチ組成状態の一部断面図
【図５】本考案のバチ組成状態の一部拡大断面図
【図６】公知のバチ毛糸構造の説明図
【符号の説明】
【００１７】
１      グリップ
２      バチヘッド
２１    通孔
３      環状キャップ
３１    突起
４      フェルト層
４１    毛糸
４１１  基礎巻き付け層
【図１】
0003144981.tif 000003
【図２】
0003144981.tif 000004
【図３】
0003144981.tif 000005
【図４】
0003144981.tif 000006
【図５】
0003144981.tif 000007
【図６】
0003144981.tif 000008